(57)【要約】【課題】グロメットの防水性を向上させる。【解決手段】柔軟な合成ゴムから成るシール部材１は、電線束を挿通し緊締する小径筒部１ａとフランジ部１ｄと、第１のフランジ部１ｄの外側に形成され、フランジ部１ｄの外径よりも径が小さく、断面が略円形のリングシール部１ｅとを有している。プロテクタ２はシール部材１を保持するために２つ割りとされている。このプロテクタ２はシール部材１の小径筒部１ａの外側から密着する断面半円弧状の半筒部２ａと、半筒部２ａの端部に連設しシール部材１のフランジ部１ｄに密着しフランジ部１ｄとほぼ同じ外形の半円状の半フランジ部２ｂと、パネルに取り付けるための弾発性を有する係合アーム２ｃを有している。使用に際しては、プロテクタ２によりシール部材１を囲んだ後に、リングシール部１ｅを半フランジ部２ｂの内側に反転する。【選択図】　　　　図５
2004032857.tif 000002
【特許請求の範囲】
【請求項１】
合成ゴム製の柔軟なシール部材と、該シール部材を外側から保持するために分割した合成樹脂製又は金属製のプロテクタとから成るグロメットにおいて、前記シール部材は電線束を通す筒部の一端に大径のフランジ部を設け、該フランジ部の外径よりも小さな外径を有すると共に断面を略円形としたリングシール部を前記フランジ部の外側に付設し、前記プロテクタは前記シール部材の筒部を外側から覆う断面円弧状の半筒部を有し、該半筒部の一端に前記シール部材のフランジ部とほぼ同じ外径の半フランジ部を連接し、前記半筒部の外側には取り付けるべきパネルの孔部に係合するための弾発性を有する係合アームを設け、前記シール部材の周囲に複数の前記プロテクタを装着した後に、前記シール部材のリングシール部を前記プロテクタの半フランジ部の裏側に反転して配置することを特徴とするグロメット。
【請求項２】
前記係合アームの先端には、前記パネルの孔部の縁部に係合する段部を設けた請求項１に記載のグロメット。
【請求項３】
前記段部と前記半フランジ部との間隔は、前記パネルの厚みと前記リングシール部の円形の断面の直径との和よりも小さくした請求項２に記載のグロメット。
【請求項４】
前記分割したプロテクタには一体に合わせた場合に相互に係止する係止爪を設けた請求項１に記載のグロメット。
【請求項５】
前記シール部材は低硬度の合成ゴムから成る請求項１に記載のグロメット。
【発明の詳細な説明】
【０００１】
【産業上の利用分野】
本発明は、パネルに挿通する電線束等を保護すると共に、パネルの内外を防水シールするためのグロメットに関するものである。
【０００２】
【従来の技術】
この種の多くのグロメットは、合成ゴムを主体として例えば自動車等のパネルに取り付けられ、パネルの内外に配設された電線束の損傷を防止すると共に、パネルの内外の浸水等に対するための防水性を確保するようにしている。
【０００３】
グロメットをパネルに固定する際には、パネルに組み付ける際の利便性等の点から、合成ゴムを保持するための合成樹脂又は金属から成るプロテクタが用いられることがある。
【０００４】
【発明が解決しようとする課題】
しかしながら上述したグロメットは、硬いゴムを用いることが多く、パネルに歪み等がある場合にはグロメットとの間に隙間が生ずる場合もあり、その部位の密着度が低下し、水漏れが発生する虞れがある。
【０００５】
本発明の目的は、上述した問題点を解消し、比較的硬度の低い合成ゴムの特性を生かして、操作性、防水性を向上させたグロメットを提供することにある。
【０００６】
【課題を解決するための手段】
上記目的を達成するための本発明に係るグロメットは、合成ゴム製の柔軟なシール部材と、該シール部材を外側から保持するために分割した合成樹脂製又は金属製のプロテクタとから成るグロメットにおいて、前記シール部材は電線束を通す筒部の一端に大径のフランジ部を設け、該フランジ部の外径よりも小さな外径を有すると共に断面を略円形としたリングシール部を前記フランジ部の外側に付設し、前記プロテクタは前記シール部材の筒部を外側から覆う断面円弧状の半筒部を有し、該半筒部の一端に前記シール部材のフランジ部とほぼ同じ外径の半フランジ部を連接し、前記半筒部の外側には取り付けるべきパネルの孔部に係合するための弾発性を有する係合アームを設け、前記シール部材の周囲に複数の前記プロテクタを装着した後に、前記シール部材のリングシール部を前記プロテクタの半フランジ部の裏側に反転して配置することを特徴とする。
【０００７】
【発明の実施の形態】
本発明を図示の実施例に基づいて詳細に説明する。
図１はグロメットを分解した状態の平面図、図２は同じ状態の一部を断面とした側面図を示しており、グロメットはシール部材１とプロテクタ２から構成されている。
【０００８】
柔軟な合成ゴムから成るシール部材１は、電線束を挿通し緊締する小径筒部１ａと、小径筒部１ａに順次に連設するテーパ部１ｂと、大径筒部１ｃと、この大径筒部１ｃの端部の外径側に形成された大径の第１のフランジ部１ｄと、フランジ部１ｄの大径筒部１ｃの反対の外側に形成され、第１のフランジ部１ｄの外径よりも外径が小さく、断面が略円形のＯリング状のリングシール部１ｅとを有している。また、小径筒部１ａの他端には小径の第２のフランジ部１ｆが設けられている。
【０００９】
プロテクタ２は例えば合成樹脂又は金属から成り、シール部材１の外側からシール部材１を保持するために、例えば２つ割りとされている。このプロテクタ２はシール部材１の小径筒部１ａ、テーパ部１ｂ、大径筒部１ｃの外側から密着する断面半円弧状の半筒部２ａと、半筒部２ａの端部に連設しシール部材１の第１のフランジ部１ｄに密着しフランジ部１ｄとほぼ同じ外径の半円状の半フランジ部２ｂと、パネルに取り付けるための弾発性を有する係合アーム２ｃと、２つ割りのプロテクタ２を合わせた際に相手側プロテクタ２に設けた係止穴２ｄに入り込んで係止を行うための係止爪２ｅとを有している。また、係合アーム２ｃの先端には、パネルの縁部に係合するための段部２ｆが設けられている。
【００１０】
そして図３に示すように、シール部材１の周囲に２つ割りのプロテクタ２を装着することにより、係止爪２ｅが相手側のプロテクタ２の係止穴２ｄに嵌合して、プロテクタ２同士の一体化がなされる。
【００１１】
なお、プロテクタ２の半フランジ部２ｂと係止部２ｃの段部２ｄとの中心軸方向の間隔は、取り付けるべきパネルの厚みと、リングシール部１ｄの断面の直径との和よりも短くされている。
【００１２】
実際には、シール部材１に大径筒部１ｃ側から所定位置に電線束Ｗを挿通してから、２つ割りのプロテクタ２を外側から合わせてシール部材１を囲むと、プロテクタ２はシール部材１を外周から保持することができる。これにより、プロテクタ２はシール部材１の第１、第２のフランジ部１ｄ、１ｆに挟まれ、ずれて外れることがない。
【００１３】
その後に、図５に示すようにシール部材１のリングシール部１ｅを開拡しながら、矢印で示すようにプロテクタ２の半フランジ部２ｂの裏側に反転する。なお、リングシール部１ｅはこのように一時的に拡げて使用するので、シール部材１の材質は十分に引き伸ばせる柔軟性が必要であり、特に低硬度の合成ゴムが好ましい。
【００１４】
図６はこのようにして組立てたグロメットを、パネルＰの孔部Ｐａ内に挿入する過程の断面図を示し、小径筒部１ａ、テーパ部１ｂ、係合アーム２ｃを孔部Ｐａ内に押し込むと、図６に示すように係合アーム２ｃが撓み始める。
【００１５】
更に押し込むことにより、係合アーム２ｃは孔部Ｐａ内を潜り抜け、係合アーム２ｃはその弾発性により復元し、図７に示すようにその段部２ｆが孔部Ｐａの縁部に係合する。これにより、電線束Ｗを保持したグロメットがパネルＰに対し前後移動不能に固定されることとなる。
【００１６】
パネルＰの厚みに応じて、プロテクタ２の係合アーム２ｃの大きさ、シール部材１のリングシール部１ｅの断面の直径等が設計されているので、パネルＰとプロテクタ２の半フランジ部２ｂとの間に、柔軟なリングシール部１ｅが挟み込まれ押し潰されると、パネルＰに多少の歪みがあってもパネルＰとリングシール部１ｅが密着し、孔部Ｐａのリングシール部１ｅ側の周囲は防水され、水がパネルＰの内外に出入りすることが全くなくなる。
【００１７】
なお、２つ割りのプロテクタ２は同形状とすることができるので、プロテクタ２を成型する金型は１個で済み、安価に製造することが可能となる。
【００１８】
また、本実施の形態においてはプロテクタ２は２つ割りとしたが、３つ以上に分割することもできるし、シール部材１のリングシール部１ｅを反転することにより、分割されたプロテクタ２は一体に係合できるので、プロテクタ２同士を係止する係止穴２ｄと係止爪２ｅは係止力が小さなものでもよい。
【００１９】
【発明の効果】
以上説明したように本発明に係るグロメットは、パネルとの間に柔軟な合成ゴムから成るリングシール部を有するシール部材が水密に介在するため、パネルに多少の歪みがあってもそれに追従して防水性を確保することができる。
【図面の簡単な説明】
【図１】グロメットを分解した状態の平面図である。
【図２】一部を断面とした側面図である。
【図３】グロメットを組み立てた状態の平面図である。
【図４】電線束に挿着した状態の一部を断面とした側面図である。
【図５】リングシール部を反転した状態の一部を断面とした側面図である。
【図６】パネルにグロメットを嵌合する過程の断面図である。
【図７】パネルにグロメットを嵌合した状態の断面図である。
【符号の説明】
１　シール部材
１ａ　小径筒部
１ｂ　テーパ部
１ｃ　大径筒部
１ｄ　フランジ部
１ｅ　リングシール部
２　プロテクタ
２ａ　半筒部
２ｂ　半フランジ部
２ｃ　係合アーム
２ｄ　係止穴
２ｅ　係止爪
Ｐ　パネル
Ｐａ　孔部
【図１】
2004032857.tif 000003
【図２】
2004032857.tif 000004
【図３】
2004032857.tif 000005
【図４】
2004032857.tif 000006
【図５】
2004032857.tif 000007
【図６】
2004032857.tif 000008
【図７】
2004032857.tif 000009